(57)【要約】【課題】伸縮操作がスムーズにできる使い勝手の良い掃除機用吸込具を提供すること。【解決手段】爪部２１を有するパイプＡ（第１のパイプ）１０と、押し釦１９を有しパイプＡ１０をその内部に伸縮自在に収納するパイプＢ（第２のパイプ）１１とを備え、パイプＡ１０をパイプＢ１１から引き出した状態で、爪部２１と押し釦１９との係合を行って、パイプＡ１０をパイプＢ１１から引き出した状態で保持すると共に、爪部２１と押し釦１９との解除を行って、パイプＢ１１によるパイプＡ１０の保持を解除し、引き出したパイプＡ１０をパイプＢ１１内に収納可能とした。これにより、パイプＡ１０、パイプＢ１１の伸縮操作がスムーズに行えるものである。【選択図】図４
2007268043.tif 000002
【特許請求の範囲】
【請求項１】
パイプ径の異なる複数のパイプにて構成され伸縮自在な掃除機用吸込具において、爪部を有する第１のパイプと、押し釦を有し前記第１のパイプをその内部に伸縮自在に収納する第２のパイプとを備え、前記第１のパイプを前記第２のパイプから引き出した状態で、前記爪部と押し釦との係合を行って、前記第１のパイプを前記第２のパイプから引き出した状態で保持すると共に、前記爪部と押し釦との解除を行って、前記第２のパイプによる前記第１のパイプの保持を解除し、引き出した第１のパイプを第２のパイプ内に収納可能とした掃除機用吸込具。
【請求項２】
押し釦およびこれに対応する爪部のそれぞれの周囲に、略Ｕ字状のスリットを形成した請求項１記載の掃除機用吸込具。
【請求項３】
押し釦の幅寸法に対して、対応する爪部の幅寸法を小さくした請求項１または２記載の掃除機用吸込具。
【請求項４】
複数のパイプそれぞれに孔を設け、パイプを縮めた状態で、前記孔の一部または全部が重なり合って、最も内側に位置するパイプの内側と最も外側に位置するパイプの外側とを連通する構成とした請求項１〜３のいずれか１項に記載の掃除機用吸込具。
【請求項５】
請求項１〜４のいずれか１項に記載の掃除機用吸込具を備えた電気掃除機。
【発明の詳細な説明】
【技術分野】
【０００１】
本発明は、スキマの掃除などに適した伸縮式の掃除機用吸込具及びこれを用いた電気掃除機に関するものである。
【背景技術】
【０００２】
従来の掃除機用吸込具について、図７を用いて説明する。
【０００３】
図７は従来の電気掃除機用の隙間用ノズルを示すものである。伸縮式のノズル本体２０は、先端側ノズル２０ａと根元部ノズル２０ｂとで構成されており、先端側ノズル２０ａの先には第１突起部２１を形成し、ここにブラシ２３を取り付けていた。またこの第１突起部２１は先端側ノズル２０ａを根元部ノズル２０ｂから引き出すための引っ掛けも兼ねる構成である（例えば、特許文献１参照）。
【特許文献１】実公平６−３４７７１号公報
【発明の開示】
【発明が解決しようとする課題】
【０００４】
しかしながら、上記従来の掃除機用吸込具においては、家具間などの狭い隙間を掃除するには吸込み具の先端はできるだけ幅が小さい方が良く且つブラシ２３等を取り付けているので先端の開口面積はさらに小さくなり電気掃除機の吸引による吸気風のスピードが速く音がうるさくなる。またより狭い家具間などの隙間を掃除できるように吸込み具の幅を狭く構成すると開口面積が狭くなり通気の抵抗が増え掃除機本体の電動送風機やホースに無理な力が加わり耐久性が低下する課題があった。さらに先端側ノズル２０ａと根元部ノズル２０ｂとは伸ばした位置で固定するようにすると伸縮の操作が硬くなり、第１突起部２１を引っ掛けても伸縮しにくく、また操作を軽くできるようにすると先端側ノズル２０ａが根元部ノズル２０ｂ側に固定できず使用時に根元部ノズル２０ｂに入り込んでしまう等の課題があった。本発明は使用時に音が低減でき、掃除機の耐久性も向上できて、且つ伸縮操作もスムーズにできる使い勝手の良い掃除機用吸込具及びこれを用いた電気掃除機を提供することを目的とする。
【課題を解決するための手段】
【０００５】
前記従来の課題を解決するために、本発明の掃除機用吸込具は、パイプ径の異なる複数のパイプにて構成され伸縮自在な掃除機用吸込具において、爪部を有する第１のパイプと、押し釦を有し前記第１のパイプをその内部に伸縮自在に収納する第２のパイプとを備え、前記第１のパイプを前記第２のパイプから引き出した状態で、前記爪部と押し釦との係合を行って、前記第１のパイプを前記第２のパイプから引き出した状態で保持すると共に、前記爪部と押し釦との解除を行って、前記第２のパイプによる前記第１のパイプの保持を解除し、引き出した第１のパイプを第２のパイプ内に収納可能としたものである。
【０００６】
これにより、押し釦の操作により、パイプ間の保持およびその解除ができるので、パイプの伸縮操作がスムーズに行えるものである。
【発明の効果】
【０００７】
本発明の掃除機用吸込具は、パイプの伸縮操作がスムーズに行える。
【発明を実施するための最良の形態】
【０００８】
第１の発明は、パイプ径の異なる複数のパイプにて構成され伸縮自在な掃除機用吸込具において、爪部を有する第１のパイプと、押し釦を有し前記第１のパイプをその内部に伸縮自在に収納する第２のパイプとを備え、前記第１のパイプを前記第２のパイプから引き出した状態で、前記爪部と押し釦との係合を行って、前記第１のパイプを前記第２のパイプから引き出した状態で保持すると共に、前記爪部と押し釦との解除を行って、前記第２のパイプによる前記第１のパイプの保持を解除し、引き出した第１のパイプを第２のパイプ内に収納可能とした。これにより、押し釦の操作をして、パイプ間の保持およびその解除ができるので、パイプの伸縮操作がスムーズに行えるものである。
【０００９】
第２の発明は、第１の発明の押し釦およびこれに対応する爪部のそれぞれの周囲に、略Ｕ字状のスリットを形成したことで、押し釦を押す操作力を軽くできるものである。
【００１０】
第３の発明は、第１または第２の発明の押し釦の幅寸法に対して、対応する爪部の幅寸法を小さくしたことにより、押し釦を強く押しても爪部に無理な力が加わるのを防止でき、耐久性を向上できるものである。
【００１１】
第４の発明は、第１〜第３のいずれか１つの発明の複数のパイプそれぞれに孔を設け、パイプを縮めた状態で、前記孔の一部または全部が重なり合って、最も内側に位置するパイプの内側と最も外側に位置するパイプの外側とを連通する構成とした。これにより、第１〜第３の発明の効果に加えて、パイプを引き出した状態で複数の孔Ａ、Ｂ、Ｃのそれぞれからも吸気でき、パイプを縮めた状態でも重なり合う孔Ａ、Ｂ、Ｃから吸気できるので掃除機用吸込具の先端からの吸引風の風速を低下でき、耳障りな音を低減できる。また先端部以外に複数の孔から充分な吸気風を確保できるので電動送風機やホースなどに無理な力が加わる事もなく耐久性が向上する。
【００１２】
第５の発明は、第１〜第４のいずれか１つの発明の掃除機用吸込具を備えた電気掃除機としたもので、家具のすき間などを使い勝手良く掃除できる電気掃除機を提供することができる。
【００１３】
以下、本発明の実施の形態について、図面を参照しながら説明する。なお、この実施の形態によってこの発明が限定されるものではない。
【００１４】
（実施の形態１）
以下、本発明の第１の実施の形態における掃除機用吸込具について図１〜図６を用いて説明する。
【００１５】
図１は、本発明の電気掃除機用吸込具およびそれを接続した床移動型の電気掃除機の全体斜視図である。
【００１６】
図において、電気掃除機１は、先端に掃除機用吸込具３を着脱可能に装着された手元ハンドル（手元操作筒）４と、手元ハンドル４から延出しホース継ぎ手５を介して掃除機本体７に接続されるホース６とを有し、前記掃除機本体７には、電動送風機（図示せず）とこれを制御する制御部材（図示せず）が内蔵されている。
【００１７】
次に、上記掃除機用吸込具３の詳細について、図２から図６を用いて説明する。
【００１８】
掃除機用吸込具３は、図２に示すように、樹脂材料にて形成されたパイプＡ１０とパイプＢ１１とパイプＣ１２とパイプＡ１０とパイプＡ１０の先端に着脱自在に取り付けたブラシ体１４とで構成している。１５はパイプＡの側面に設けた孔Ａであり、同じくパイプＢ１１には孔Ｂ１６とパイプＣ１２には孔Ｃ１７を形成している。このように本実施の形態によれば、パイプの側面に複数の孔を設けているのでパイプＡ１０の先端開口だけでなく複数の孔からも吸気するので掃除機用吸込具の先端から吸引風の風速が低下でき耳障りな音が低減する。また先端部以外に複数の孔からも充分な吸気風を確保できるので電動送風機やホースなどに無理な力が加わる事もなく耐久性が向上する。
【００１９】
この孔Ａ１５、孔Ｂ１６、孔Ｃ１７は図３に示すようにパイプを縮めた状態では重なり合う位置に構成されていて３つの孔で連通孔１８を形成する。この３つの孔Ａ１５、孔Ｂ１６、孔Ｃ１７の開口面積の大きさは孔Ａ＜孔Ｂ＜孔Ｃの様に先端側を小さく構成している。このように本実施の形態によれば、３つの孔Ａ１５、孔Ｂ１６、孔Ｃ１７が重なり合う位置にあるので、縮めた状態でもパイプＡ１０の先端開口の吸気風に加え連通孔１８が形成され、パイプを縮めた状態で掃除作業を行っても先端から吸引風の風速が低下でき耳障りな音が低減できる。また前記複数の孔は開口面積の大きさを異なる面積にし、先端側の孔Ａ１５の開口面積を小さく構成にした事により、パイプを縮めた状態で掃除作業を行うときに重なり合った連通孔１８で発生する耳障りな風きり音を低減できる。
【００２０】
図４、図５、図６に示すように１９はパイプＢ１１に設けた押し釦であり、この押し釦１９を押すとパイプＢ１１の内壁に形成している凸部２０に係り縮むのを防いでいるパイプＡ１０に形成した爪部２１が内側に変位し係りが解除されるのでパイプＡ１０はパイプＢ１２内に収納される。押し釦１９と爪部２１の外周にはスリット部２２、２３を設けているので押し釦１９や爪部２１はスムーズに操作できる。また爪部２１の幅Ａ２４に対して押し釦１９の幅Ｂ２５は広く構成している。よって押し釦１９を強く押しても爪部２１に無理な力が加わるのを防止できるので耐久性が向上できる。
【００２１】
尚、本実施の形態において、掃除機用吸込具をパイプ径の異なる３つのパイプで構成したが、本願発明は、これに限定されるものではなく、２つのパイプ、あるいは、４つ以上のパイプで構成しても問題ないものである。
【産業上の利用可能性】
【００２２】
以上のように、本発明にかかる掃除機用吸込具及びこれを用いた電気掃除機は、パイプに設けた押し釦の操作により、パイプ間の保持およびその解除ができ、パイプの伸縮操作がスムーズに行えるので、業務用掃除機などの吸込具にも適用できる。
【図面の簡単な説明】
【００２３】
【図１】本発明の実施の形態１の掃除機用吸込具を接続した電気掃除機の全体斜視図
【図２】同掃除機用吸込具を伸ばした状態の平面図
【図３】同掃除機用吸込具を縮めた状態の平面図
【図４】同掃除機用吸込具の要部断面図
【図５】同掃除機用吸込具の押し釦まわりの詳細図
【図６】同掃除機用吸込具の爪部まわりの詳細図
【図７】従来の掃除機用吸込具の断面図
【符号の説明】
【００２４】
３  掃除機用吸込具
７  掃除機本体
１０  パイプＡ（パイプＢとの関係において第１のパイプ）
１１  パイプＢ（パイプＡとの関係においては第２のパイプ、パイプＣとの関係においては第１のパイプ）
１２  パイプＣ（パイプＢとの関係において第２のパイプ）
１４  毛ブラシ体
１５  孔Ａ
１６  孔Ｂ
１７  孔Ｃ
１８  連通孔
１９  押し釦Ａ
２１  爪部Ａ
２２、２３  スリット
２４  幅Ａ
２５  幅Ｂ
【図１】
2007268043.tif 000003
【図２】
2007268043.tif 000004
【図３】
2007268043.tif 000005
【図４】
2007268043.tif 000006
【図５】
2007268043.tif 000007
【図６】
2007268043.tif 000008
【図７】
2007268043.tif 000009